(57)【要約】【課題】本発明は、水平方向の送風を十分に行うことができる空気調和機を提供すること。【解決手段】本発明は、吹出し口に設ける風向変更機構を有する空気調和機において、前記風向変更機構は前記吹出し口からの空気吹出し方向を変更するルーバー、このルーバーを動かす第一アーム、および第二アームを有し、前記第一アームは、基軸端側が前記空気調和機本体に回動自在に軸支（第１支点）され、揺動端側に前記ルーバーが回動自在に軸支（第２支点）され、前記第二アームは、基軸端側が前記空気調和機本体に回動自在に軸支（第３支点）され、揺動端側に前記ルーバーが回動自在に軸支（第４支点）され、前記風向変更機構は、前記第一アームの前記第１支点、および前記第２支点と、前記第二アームの前記第３支点、および前記第４支点の４個の支点で連結したリンク機構を備え、前記リンク機構によって動く前記ルーバーは、前記第一、二アームの揺動端側で風向変更動作することを特徴とする。【選択図】図２
2010038392.tif 000002
【特許請求の範囲】
【請求項１】
空気の吸込口及び吹出し口を有する空気調和機本体と、空気調和機本体内に設ける送風用ファンと、前記吹出し口に設ける風向変更機構を有する空気調和機において、
前記風向変更機構は、前記吹出し口からの空気吹出し方向を変更するルーバー、このルーバーを動かす第一アーム、および第二アームを有し、
前記第一アームは、基軸端側が前記空気調和機本体に回動自在に軸支（第１支点）され、揺動端側に前記ルーバーが回動自在に軸支（第２支点）され、
前記第二アームは、基軸端側が前記空気調和機本体に回動自在に軸支（第３支点）され、揺動端側に前記ルーバーが回動自在に軸支（第４支点）され、
前記風向変更機構は、前記第一アームの前記第１支点、および前記第２支点と、前記第二アームの前記第３支点、および前記第４支点の４個の支点で連結したリンク機構を備え、
前記リンク機構によって動く前記ルーバーは、前記第一、二アームの揺動端側で風向変更動作することを特徴とする空気調和機。
【請求項２】
請求項１記載の空気調和機において、前記風向変更機構はさらに
前記ルーバーの風向変更作動力を付与するモータなどのルーバー駆動手段を備え、
前記第一アームまたは前記第二アームの何れかにルーバー駆動手段の駆動力を付与することを特徴とする空気調和機。
【請求項３】
請求項１または２に記載の空気調和機において、
前記第一、二アームは前記基軸端側から前記揺動端側までの長さが第一アームの方が長く、前記第一アームは前記第二アームよりも前記空気調和機本体の前面側に配置されたことを特徴とする空気調和機。
【請求項４】
請求項３記載の空気調和機において、
前記ルーバーの風向変更作動力を付与するモータなどのルーバー駆動手段を備え、
前記第二アームは前記ルーバーにルーバー駆動手段の駆動力を付与することを特徴とする空気調和機。
【請求項５】
請求項２記載の空気調和機において、
前記吹出し口、および前記風向変更機構は、横方向に延びる横長形状を有し、
前記第一アーム、および前記第二アームは、前記風向変更機構の長手方向に沿って延在した前記ルーバーの両端側にそれぞれ対に設けられ、
前記ルーバー駆動手段は、前記ルーバーの片側端に備え、
前記ルーバー駆動手段の駆動力が付与される前記第一、第二何れかのアームの方は、前記ルーバーの両端側に設けた対のアームが前記ルーバーに沿って延在する連結軸で連結されることを特徴とする空気調和機。
【請求項６】
請求項３記載の空気調和機において、
前記ルーバーを開く方向に付勢する付勢手段を前記第一アームに設けたことを特徴とする空気調和機。
【請求項７】
請求項１〜６の何れかに記載の空気調和機において、
上面向きに開口する前記吹出し口を開け閉めする前記ルーバーは、前記吹出し口を塞ぐ横倒し状態の位置から吹出し口を全開に開く立てた状態の位置までの範囲に亘って傾きが変えられるように可動自在に設けられ、かつ前記可動自在の範囲が前記空気調和機本体の前面側に位置することを特徴とする空気調和機。
【請求項８】
請求項７記載の空気調和機において、
前記ルーバーは、前記横倒し状態の位置から立てた状態の位置までの範囲内で任意の位置に止められることを特徴とする空気調和機。
【請求項９】
請求項１〜８の何れかに記載の空気調和機において、
上面向きに開口する前記吹出し口を開け閉めする前記ルーバーが前記吹出し口を塞ぐ横倒し状態では、前記第一アームの前記第１支点と前記第２支点を通る直線と、第二アームの前記第３支点と前記第４支点を通る直線の交点が前記空気調和機本体の後面側外部に存在することを特徴とする空気調和機。
【発明の詳細な説明】
【技術分野】
【０００１】
本発明は、空気の吹出し口を備え、空気吹出し口の開閉および吹出し方向を可変するためのルーバーを備えた空気清浄器や除湿機、エアコンなどを含む空気調和機に関する。
【背景技術】
【０００２】
近年の住宅においては、室内の密閉性が高くなってエアコンによる温湿度調整はもとより、花粉症などのアレルギー疾患が広く蔓延していることもあって、
アレルギー物質や塵埃、あるいは臭気を空気中から除去したい、あるいは空気の温湿度を適切に保持したいというニーズの高まりから空気清浄器や除湿機や加湿器などの空気調和機が広く使われている。そのうち空気清浄器では室内の空気を取り込んで、集塵エアーフィルタ、脱臭エアーフィルタを経由して、花粉やハウスダストなどの空気中の微細な粒子や、タバコやペットの匂いなどを除去した空気をファンにより室内に再度放出するものである。
【０００３】
さらに、集塵や脱臭のみならず、内部に水タンクを備えてタンクに供給された水を蒸発させて加湿する加湿機や、吸湿材や熱交換器を備えて高湿な空気を吸い込んで一旦吸湿材に湿気を吸湿させて空気を乾燥させ、吸湿材を加熱して蒸発させたのち熱交換器で凝結させることで除湿する除湿機や、それらの機能を一体化した多機能な空気清浄機もある。
このような空気清浄器においては、設置された部屋全体の空気を循環させる場合、あるいは洗濯物などを乾燥させようとして除湿する場合など、使用する機能に応じて空気の吹出し方向を例えば上向きや前向き、斜め上方向き、などに変化させることが望ましく、さらに吹出し方向を自動的に適正に変化するように電動式とすることがさらに望ましい。
【０００４】
従来、例えば、特開２０００−２８３５４３号公報（特許文献１）には、上面方向から後面方向まで２面以上への開口部と吹出し方向を調節する複数枚のルーバーとルーバーを連結するリンク機構が開示されている。また、特開２００８−９６００６号公報（特許文献２）には、風向の拡大と平行と集中との間を周期的に動作する左右方向ルーバーと仰角方向に風向を変更する上下方向ルーバーとを備えた除湿機の風向変更装置が開示されている。
【０００５】
【特許文献１】特開２０００−２８３５４３号公報
【特許文献２】特開２００８−９６００６号公報
【発明の開示】
【発明が解決しようとする課題】
【０００６】
このような空気調和機のルーバーにおいては、複数のルーバーはそれぞれのルーバーごとに空気調和機本体との間で回動する回転中心をもち、そのまわりに各々は単純に揺動する構成である。複数のルーバー同士は互いに連動するようにリンク機構によって接続されており、一方のルーバーに設けられたツマミを操作してルーバーを回転中心のまわりに回転させると他方のルーバーも連動して回転する構成としている。
【０００７】
上記のような構成においては各々のルーバーがルーバーの支点を中心として回転するだけなので、閉じた状態からルーバーを開き始めた水平方向の風向きでは送風の開口面積が僅かで水平方向の風量を十分送風することができない。さらに、ルーバーを全開して上向きの風向きとした際にはルーバーはその先端が空気調和機本体の上面から上方に飛び出す。
【０００８】
本発明は、上記の課題に対処し、ルーバーが開き始まる水平方向の送風を十分に送ることができるとともに、ルーバーを全開として上向きとした際にはルーバーは下降して、ルーバーの大部分が送風路の内部に収納されてルーバーの上方への突き出し量が少ない空気調和機を提供することを目的とする。
【課題を解決するための手段】
【０００９】
本発明は、吹出し口に設ける風向変更機構を有する空気調和機において、前記風向変更機構は前記吹出し口からの空気吹出し方向を変更するルーバー、このルーバーを動かす第一アーム、および第二アームを有し、前記第一アームは、基軸端側が前記空気調和機本体に回動自在に軸支（第１支点）され、揺動端側に前記ルーバーが回動自在に軸支（第２支点）され、前記第二アームは、基軸端側が前記空気調和機本体に回動自在に軸支（第３支点）され、揺動端側に前記ルーバーが回動自在に軸支（第４支点）され、前記風向変更機構は、前記第一アームの前記第１支点、および前記第２支点と、前記第二アームの前記第３支点、および前記第４支点の４個の支点で連結したリンク機構を備え、前記リンク機構によって動く前記ルーバーは、前記第一、二アームの揺動端側で風向変更動作することを特徴とする。
【発明の効果】
【００１０】
本発明によれば、風向変更機構が第一アームの第１支点、および第２支点と、第二アームの第３支点、および第４支点の４個の支点で連結したリンク機構を備え、リンク機構によって動くルーバーが第一、二アームの揺動端側で風向変更動作することにより、水平方向の送風を十分に送ることができる。さらに、風向きを斜め上方や上向きに変更することができるとともに、ルーバーを全開として上向きとした際にはルーバーは下降して、ルーバーの大部分が送風路の内部に収納されてルーバーの上方への突き出し量を少なくすることができる。
【発明を実施するための最良の形態】
【００１１】
本発明の実施の形態について、以下図面を用いて説明する。
【００１２】
図１は本発明による空気調和機の斜視図であり、図２は縦断面図である。
【００１３】
空気調和機本体１の上面には各種の設定スイッチなどが設けられた操作パネル１５が設けられている。
【００１４】
空気調和機本体１の内部には空気中の塵埃を吸着するエアーフィルタ２が設けられ、外気を吸入する吸気孔３から吸入された空気を矢印で示した通風路５３に沿って送風して清浄化する。エアーフィルタ２から排気された空気はエアーフィルタ２と併設して設けられた熱交換器４を通過したのち除湿機５に空気中の水分が吸着されて除湿される。除湿機５を通って除湿された空気はモータ６により回転駆動される送風用ファン７によって送風され、送風路８を通り、風向変更機構のルーバー９によって所定の風向に偏向されたのち室内に放出される。
【００１５】
風向変更機構のルーバー９は空気調和機本体１の吹出し口に設けられ、吹出し口を開け閉めするとともの空気の送風方向を変更することができる。
【００１６】
除湿機５は例えばシリカゲルのような吸湿機能を備えた材料を内在しており、加熱手段１０によって加熱されると水分を放出し、加熱されて水分を含んだ高湿の空気は熱交換器４の内部を通過してエアーフィルタ２を通過した低温の外気との間で熱交換して冷却され、水分を結露して除湿される。
【００１７】
熱交換器４を通った外気の一部は加湿エアーフィルタ１１を通過するよう構成されており、加湿エアーフィルタ１１の下端は水受け皿１２であって、水受け皿１２に水タンク１３に収納された水を水ポンプ１４によって給水経路６６を通って給水することによって加湿エアーフィルタ１２に水分を供給して湿らせることで空気を加湿する。前記の熱交換器４で結露された水分は水タンク１３の内部に蓄積する。
【００１８】
図１および図２においてはルーバー９は閉鎖された状態を示しており、ルーバー９の上面が空気調和機本体１の上面３６の形状と略面一に位置して送風路８上面の吹出し口を閉鎖した状態としている。
【００１９】
図３は本発明によるルーバーが閉鎖位置から移動して図２に破線にて９’として示したように送風路８の上面を開放して上向きに室内に空気を放出できる状態となした図である。
【００２０】
図４は吹出し口を全開したときの風向変更機構のルーバー９の構成を示す縦断面図である。
【００２１】
風向変更機構は、図４、図３に示すように、吹出し口からの空気吹出し方向を変更するルーバー９、このルーバー９を動かす第一アーム２２、および第二アーム２３を有する。
【００２２】
ルーバー９はルーバーの上面風向板１６と、上面風向板１６と略平行に設けられた下面風向板１７と中央風向板１８とを備え、上面風向板１６と下面風向板１７との間に中央風向板１８を備えている。上面風向板１６と中央風向板１８との間の空隙には、上面風向板１６と中央風向板１８との間に設けられた支点１９、１９のまわりに矢印２０（図３に示す）の方向に回動自在に設けられた補助風向板２１が設けられており、使用者が矢印２０の方向の任意の向きに風向きを変更することができる。
【００２３】
ルーバーの一方の側面と他の側面との両側には第一アーム２２と第二アーム２３とがそれぞれ一対にほぼ対称に設けられ、第一アーム２２の一端（基軸端側）は空気調和機本体１に設けられた支点２４（第１支点）に回動自在に軸支されており、他端（揺動端側）はルーバー９に設けられた支点２５（第２支点）に揺動自在に軸支されている。
【００２４】
第二アーム２３の一端（基軸端側）は空気調和機本体１に設けられた支点２６（第３支点）に回動自在に軸支されており、他端（揺動端側）はルーバー９に設けられた支点２７（第４支点）に軸支されている。
【００２５】
このような風向変更機構は、第一アームの前記第１支点、および第２支点と、第二アームの第３支点、および第４支点の４個の支点で連結したリンク機構を構え、このリンク機構によって動くルーバーが第一、二アームの揺動端側で風向変更動作する。このため、ルーバー９は、上記従来例で述べた単なる支点で回転する風向変更動作とは異なる動作をする。すなわち、ルーバが閉じた状態から開き始めるときに、ルーバが上方に平行移動するような動作をするため、水平方向の風向きで送風する開口面積を大きく確保され、水平方向の送風を十分に送ることができる。詳しくは後述する。
【００２６】
さて、第一アーム２２の長さ、すなわち支点２４と支点２５との間の距離は、第二アーム２３の長さ、すなわち支点２６と支点２７との間の距離よりも大であり、支点２４は支点２６よりも空気調和機本体１の前面に近接して設けられている。
【００２７】
ルーバー９の左右両側に設けられた第一アーム２２は、支点２５の側において例えば鋼線やアルミニウムの角材などの第一の連結軸２９によって互いに同期して回動するよう連結されており、左右両側の第一アーム２２が連動して支点２４のまわりに回動する構成である。
【００２８】
ルーバー９の左右両側に設けられた第二アーム２３は、支点２７の側において例えば鋼線やアルミニウムの角材などの第二の連結軸３０によって互いに連結されて同期して回動して回転力を伝達するよう構成されており、小型モータ２８が回転すると左右両側の第二アーム２３が連動して支点２６のまわりに回動する構成である。
【００２９】
第一の連結軸２９はルーバー９の中央風向板１８に近接して設けられ、中央風向板１８の一部が第一の連結軸２９の周囲を囲む形状をなした第一のカバー部３２を備える。第二の連結軸３０はルーバー９の下面風向板１７に近接して設けられ、下面風向板１７の一部が第二の連結軸３０の周囲を囲む形状をなした第二のカバー部３３を備える。
【００３０】
図３ないし図４にて図示したようにルーバー９を上向きとして送風路８を開口させた際に矢印３１の向きにルーバー９を目視した際に、第一の連結軸２９および第二の連結軸３０が直接目視できない構成としている。
【００３１】
第一アーム２２の支点２４には第一の補助スプリング３４が設けられており、第二アーム２３には第二の補助スプリング３５が設けられているが、その作用については後述する。
【００３２】
次に図５から図８により本発明によるルーバー９を含む風向変更機構の動作について説明する。
【００３３】
図５は図１ないし図２と同様にルーバー９が閉鎖しており、ルーバーの上面風向板１６が空気調和機本体１の上面３６と略面一となって送風路８に通じる吹出し口を閉鎖している状態を示している断面図である。
【００３４】
図６は空気調和機本体１の前面向きに送風している状態を示している断面図である。
【００３５】
図７は空気調和機本体１の斜め上方に送風している状態を示している断面図である。
【００３６】
図８は上向きに送風している状態を示している断面図である。
【００３７】
図５から図８においては補助風向板２１を省略して図示しており、いずれも図示左側が空気調和機本体１の前面、右側が背面であるとする。
【００３８】
図５に示したルーバー９が閉鎖された状態においては、第一アーム２２とルーバー９との支点２５は支点２４よりも図示右側にあり、第二アーム２３とルーバーとの支点２７は支点２６よりもやはり図示右側に配置される。ルーバー９の上面をなす上面風向板１６は本体上面３６と略並行で面一の位置にある。
【００３９】
ここで小型モータ２８を矢印ＣＣＷ方向に回転させると支点２７は支点２６と支点２７とを結んだ直線３８ａに対して直交する矢印３７の方向に移動する。第二アーム２３はルーバー９の両側、すなわち図５においてはルーバー９を挟んで紙面の手前側と奥側との両側にあってそれらは第一の連結軸２９によって接続されているので同期して回転する。
【００４０】
支点２７と支点２５は両方ともルーバー９に設けられているので、ルーバー９上の直線３９ａによって接続されていると考えてよく、支点２５は支点２５と支点２４とを結ぶ直線４０ａに対して直交する矢印４１の向きに移動する。
【００４１】
ここで、第一の補助スプリング３４は第一アーム２２に対して支点２４のまわりに矢印４２方向に回転する回転力を付与するように配置すれば、ルーバー９の自重を下から支えるよう上向きの力を生じるので、第一アーム２２が矢印４１の方向に移動する回転力を補助して駆動モータ２８の負荷トルクを低減することができるので好適である。
【００４２】
第二アーム２３にばね支点５０に第二の補助スプリング３５を張架して設け、矢印４３方向に引っ張ることによって第二アーム２３に対して矢印ＣＣＷ（Ｃｏｕｎｔｅｒ
Ｃｌｏｃｋ  Ｗｉｓｅ）方向の回転力を付与して小型モータ２８の回転力を補助することができるので好適である。
【００４３】
ここで、直線３８ａと直線４０ａとの延長線の交点５１ａは図５の状態から小型モータ２８を回転させて第二アーム２３を矢印ＣＣＷ方向に回動させた際のルーバー９の運動の瞬間中心となり、ルーバー９は瞬間的にはこの交点５１ａのまわりに回動する動作となる。
【００４４】
すなわち、先に説明したように直線３９ａはルーバー９上にあるが、その一端は第一アーム２２の支点２５であって直線４０ａに直交した矢印４１の方向に移動する。直線３９ａの他端は第二アーム２３の支点２７であって直線３８ａに直交した矢印３７の方向に移動する。矢印４１と矢印３７はともに交点５１ａへの延長線に対していずれも直交するから、直線３９ａすなわちルーバー９は交点５１ａのまわりに回動していると考えてよく、交点５１ａはルーバー９の動作の瞬間中心となる。
【００４５】
ここでルーバー９の回動動作の瞬間中心である交点５１ａは空気調和機本体１の背面よりも後方の空間に位置することになるので、ルーバー９はあたかも空気調和機本体１よりも外部にある仮想的な点を中心に回転する動作を行う。
【００４６】
図６に示した状態においては、第二アーム２３の支点２７が円弧状の軌跡４４に沿って支点間を結ぶ直線３８ａ、３９ａ、４０ａがそれぞれ３８ｂ、３９ｂ、４０ｂの位置まで移動して、上面風向板１６を略水平とした状態を示している。
【００４７】
ここで直線３８ａから直線３８ｂまで移動した際の支点２７の高さ方向の移動量をｈ２、直線４０ａから直線４０ｂまで移動した際の支点２５の高さ方向の移動量をｈ１とすると本実施例ではｈ１＞ｈ２となるように配置していて、支点２５は支点２７よりも図示左側の前面側に配置されているので、ルーバー９の上面風向板１６は図示左側の前端部４６は後端部４７よりも大きく上昇し、その結果として図６に示すように前端部４６が本体上面３６に対して高さＨだけ開口した位置となる。
【００４８】
ここでモータ６により送風用ファン７を回転駆動させて空気を流すと空気は送風路８を矢印４８のように下から上に送風される。その空気は下側から上面風向板１６、下面風向板１７、中央風向板１８に沿って風向きを変え、矢印４９ａの方向すなわち水平に前方に向けて吹き出すことができる。
【００４９】
ここでルーバー９の前端部４６が上昇して空気を吹き出す部分の高さＨは送風路８の幅Ｗよりも小とすれば、矢印４９ａ方向すなわち前方に高速の風を吹き出すことができる。ここでルーバー９の瞬間中心は交点５１ｂとなり、ルーバー９の上面後部近傍に位置する。
【００５０】
図５から図６に至るまでのルーバー９の動作においては、ルーバー９の動作の瞬間中心は図５における空気調和機本体１の外側の５１ａの位置から図６におけるルーバー後端部４７の近傍の５１ｂの位置まで移動する。
【００５１】
このことはつまりルーバー９がルーバー近傍の点のまわりに単なる回動を行う動作と比較すると、ルーバー９と回転中心との距離がより大きいことになるので、ルーバー９の回転角度に対して上昇量が大きい動作、すなわち上方に平行移動するような動作を実現することができる。これにより、水平方向の風向きで送風する開口面積を大きく確保し、水平方向の送風を十分に送ることができる。
【００５２】
この点について図９を用いてさらに説明する。
【００５３】
図９はルーバー９の動作を示す簡易的な断面図であるが、ルーバー９の近傍に単なる回転中心５２を備えていてルーバー９の上面風向板１６が図５に示したと同様な閉鎖位置である１６ａの位置から回転中心５２のまわりに角度Φだけ回転して上面風向板１６が水平となる位置まで開いたとすると、図示破線で示した１６０の位置となり、前端部４６高さＨ’だけ上昇するがＨ’の量はわずかなので、この状態では空気を前方に吹き出すことができない。
【００５４】
ここで図６に示したと同様な上面風向板１６ｂを示すと前端部４６の高さはＨでありＨ＞Ｈ’となる。これはすなわちルーバー９は角度Φの回転運動に加えて上昇していることを示しており、上昇動作をすることによって十分に空気を吹き出す開口Ｈを前方に向けて得ることができる。
【００５５】
上記のように動作するので、空気を前方に吹出す際には上面風向板１６は水平であって、かつ前端部４６の高さＨ’が過小でなく適度に開くことによって空気の吹出しを適切とすることができる。
【００５６】
第二アーム２３をさらに矢印ＣＣＷ方向に回転させると図７に示す状態となる。
【００５７】
図５の位置と比較すると第二アーム２３の支点２７が円弧状の軌跡４４に沿って支点間を結ぶ直線３８ａ、３９ａ、４０ａがそれぞれ３８ｃ、３９ｃ、４０ｃの位置まで移動した状態を示している。
【００５８】
この状態においては、直線３９ｃと直線３８ｃとはほぼ一直線状となるので第一アーム２２のルーバー上の支点２５と第二アーム２３の本体上の支点２６との間の距離は最大となる。
【００５９】
したがって、第一アーム２２の支点２５はこのときに最も上昇した位置となり、支点２５の上昇量ｈ３は最大値をとるとともに、第二アーム２３が図７の位置の近傍で回動しても第一アーム２２の支点２５の位置はほとんど変わらないので、第二アームの支点２７の位置が円弧状の軌跡４４に沿って移動するとルーバー９は上下方向の移動がほとんどなく支点２５のまわりに回動する動作を行う。
【００６０】
図６と比較するとルーバー９の前端部４６が上昇して角度が斜め上方を向くので、送風路８の中を送風される空気は上向きの矢印４８方向から向きを変えて矢印４９ｂ方向に斜め上方に吹き出される。ここで、直線３９ｃと直線３８ｃとが一直線状となった位置において、ルーバー９の瞬間中心は支点２５の位置と一致するので、ルーバー９は支点２５のまわりに単なる回動をすることになる。
【００６１】
第二アーム２３をさらに矢印ＣＣＷ方向に回転させると図８に示す状態となる。
【００６２】
図５の位置と比較すると第二アーム２３の支点２７が円弧状の軌跡４４に沿って支点間を結ぶ直線３８ａ、３９ａ、４０ａがそれぞれ３８ｄ、３９ｄ、４０ｄの位置まで移動した状態を示している。
【００６３】
この状態においては、第二アーム２３の支点２７は第一アーム２２の支点２５よりも図示左側の前面側に移動し、さらに高さ方向は下降して図５に示したルーバー９を閉鎖した状態よりも下降した位置となり、第一アーム２２の支点２５の高さも下降する。
【００６４】
すると、直線３８ｄ、３９ｄ、４０ｄは全体としてＺ字のごとき形状となり、ルーバー９は上面風向板１６が略鉛直方向を向く状態となるので、送風路８の中を送風される空気は上向きの矢印４８方向のまま上向きに矢印４９ｃ方向に吹き出される。
【００６５】
図８の状態における直線３９ｄの瞬間中心５１ｄはほぼ第一アーム２２の支点２４の近傍であり、ルーバー９はほぼ支点２４のまわりに回動する動作を行う。ルーバー９の高さは下降して送風路８の中にその大部分が収納されるので、前端部４６のみが空気調和機本体１の本体上面３６よりも突出した形態となって本体上面からの突き出し量が少なくなる。
【００６６】
第二の補助スプリング３５はばね支点５０を介して第二アーム２３を矢印ＣＷ方向に回動する回転トルクを生じるが、このトルクは図８の状態から小型モータ２８により図７の状態に移動するのを補助する力となるので都合が良い。
【００６７】
すなわち、図５に示した状態から小型モータ２８を矢印ＣＣＷ方向に回動することによって、図６、図７の状態を経由して図８の状態までルーバーを移動することができ、矢印４９で示した吹き出される空気の風向は図６の矢印４９ａで示した前方から図７に矢印４９ｂで示した斜め上方を経て図８に矢印４９ｃで示した鉛直上向きにまで変更することができる。
【００６８】
逆に、図８に示した状態から小型モータ２８を図示したＣＷ方向に回転することによって、図７、図６の状態を経て図５に示したルーバーを閉鎖した状態まで移動することが可能である。
【００６９】
またさらに、図８に示した風向が上向きの状態と図７に示した斜め上方の状態との間を往復するように小型モータ２８を往復回動させることや、さらに図６に示した前方吹き出しの位置まで回動して、前方吹き出しと斜め上方吹き出しの間を往復させることや、前方吹き出しと上方吹き出しとの間を風向きを変更しながら往復動作させることが可能である。
【００７０】
いうまでもなく、図６、図７、図８に示したそれぞれの位置でルーバー９を停止させて、一定の方向に空気を吹き出すことが可能なのは言うまでもない。
【００７１】
ここで、小型モータ２８としてパルスモータを用いれば、ルーバー９をいずれかの位置で停止させる場合には通電を行わずにパルスモータのデテントトルク（自己保持トルク）のみによって保持することができるので好適である。またさらに、使用者が風向きを変更したいとしてルーバー９を任意の向きに手で動かすとしても、その負荷はたかだかパルスモータのデテントトルクに過ぎないので容易に動かすことができるので好適である。
【００７２】
次に第一の連結軸２９と第二の連結軸３０の配置について説明する。図５から図８により説明したように小型モータ２８による回転力は第二アーム２３を介してルーバー９の左右両側に伝達されるので、ルーバー９の左右に設けられた第二アーム２３が同期して回動するように第二の連結軸３０によって接続するようにしている。
【００７３】
第二アーム２３を連結するのは細くするためにアルミニウムや鋼線の金属製の軸が望ましく、小型モータ２８と同軸の支点２６によって接続してもよいし、他端である支点２７によって接続しても回転力は伝達することができる。
【００７４】
もし連結軸を支点２６に設けたとすると、支点２６は第二アーム２３と空気調和機本体１との間の支点であって位置が固定されるので、ルーバー９が移動しても常に送風路８の内部の一定の位置に存在することになり、送風を邪魔して抵抗となり風量の低下を招くとともに、使用者から金属製の軸が目視されることになるので見栄えも悪い。
【００７５】
一方、図４に示すように第二の連結軸３０を支点２７と同軸に設ければ、支点２７はルーバー９と第二アーム２３との間の支点だからルーバーに対して位置は一定となる。
【００７６】
したがって、支点２７と隣接して下面風向板１７を設け、金属製の第二の連結軸３０の周囲を第二のカバー部３３で覆うことができ、そのようにすれば送風路８の内側に第二の連結軸３０が位置するとしてもルーバー９の一部となすことができるので、送風を邪魔することもなくルーバー９を開いた際に使用者から目視されることもないので、例えば樹脂製のルーバー９と金属製の駆動軸とが混在して見えることによる煩雑な印象を与えることがないので都合が良い。
【００７７】
同様に第一アーム２２に対しては支点２５の位置を中央風向板１８に隣接する位置として、第一の連結軸２９を支点２５と同軸に設け、金属製の第一の連結軸２９の周囲を第一のカバー部３２で覆うと、送風を邪魔することもなくルーバー９を開いた際に使用者から目視されることもなくて都合が良い。
【００７８】
以上説明したルーバーを備えた空気調和機の動作の一例について図１０に示した流れ図により説明する。
【００７９】
ルーバー９は図５に示したように閉鎖位置にあり（５３）、使用者が電源スイッチを押すことで運転を開始（５４）したのち、空気調和機の動作モードを選択（５５）する。動作モードは例えば空気清浄（５６）、除湿（５７）、送風（５８）、または攪拌（５９）モードから選択する。
【００８０】
ここで、空気清浄（５６）モードが選択された場合には室内の空気を上方に吹出すものとすれば小型モータ２８に通電してルーバー９を図５から図８の位置にまで移動して上向き（６０）とする。
【００８１】
除湿（５７）モードが選択された場合には室内の空気を斜め上方に吹出して、室内に干された洗濯物に吹き付けるものとすれば、ルーバー９を図５から図７の位置まで回動して斜め上方（６１）に向けるものとする。
【００８２】
送風（５８）モードが選択された場合にはルーバー９を図５から図６の位置にまで回動して前向き（６２）とする。攪拌（５９）モードが選択された場合には、ルーバー９を図５から図８の位置にまで移動した後、図８に示した上向きと図７に示した斜め上方向きとの間を往復揺動を繰り返すことにより室内の空気を効率的に攪拌することができる。
【００８３】
その後、使用者が停止スイッチを押して停止指示（６４）をすれば、各空気調和機は各モードでの動作を停止したのちルーバー９を回動して図５に示した閉鎖位置に移動（６５）する。
【００８４】
本実施例においては空気調和機として空気清浄機、除湿機を示したが、それらに限定されるものではなく、送風機やエアコン、浴室乾燥機、窓設置型のエアコンであってもよい。
【００８５】
また、本実施例においては送風路を上向きとし、ルーバーは水平方向に向いた横長の形態であって第一アーム２２と第二アーム２３はともにルーバー９の左右両側面に設けられた形態を示したが、それに限定されるものではなく、送風路が鉛直面に設けられた縦長の形状であって、ルーバー９の形態も縦長で第一アーム２２と第二アーム２３とがルーバーの上面と下面の両面にともに設けられていてもよい。
【００８６】
上記ルーバーの開口面積の拡大に関しては、水平方向の送風で述べたが水平方向以外の位置でも適宜に実施可能である。
【図面の簡単な説明】
【００８７】
【図１】本発明の実施例に係るもので、空気調和機の構成を示す斜視図。
【図２】本発明の実施例に係るもので、空気調和機の構成を示す縦断面図。
【図３】本発明の実施例に係るもので、空気調和機のルーバーを含む風向変更機構の構成を示す斜視図。ルーバーを立て、吹出し口を全開にした状態を示している。
【図４】本発明の実施例に係るもので、空気調和機のルーバーを含む風向変更機構の構成を示す縦断面図。ルーバーを立て、吹出し口を全開にした状態を示している。
【図５】本発明の実施例に係るもので、空気調和機のルーバーを含む風向変更機構の構成を示す縦断面図。ルーバーを倒し、吹出し口を全閉にした状態を示している。
【図６】本発明の実施例に係るもので、空気調和機のルーバーを含む風向変更機構の構成を示す縦断面図。ルーバーを開き始めた水平方向に送風状態を示している。
【図７】本発明の実施例に係るもので、空気調和機のルーバーを含む風向変更機構の構成を示す縦断面図。ルーバーを更に開き、斜め上方に向けた送風状態を示している。
【図８】本発明の実施例に係るもので、空気調和機のルーバーを含む風向変更機構の構成を示す縦断面図。ルーバーを立て、吹出し口を全開にした状態での第一アームと第二アームの位置関係を示した。
【図９】本発明の実施例に係るもので、空気調和機のルーバーを含む風向変更機構の構成を示す縦断面図。ルーバーを開き始めた水平方向の送風に関し、従来例と比較して示した。
【図１０】本発明の実施例に係るもので、空気調和機の動作を示す流れ図。
【符号の説明】
【００８８】
１…空気調和機本体、２…エアーフィルタ、３…吸気孔、４…熱交換器、５…除湿機、６…駆動モータ、７…送風用ファン、８…送風路、９…ルーバー、１０…加熱手段、１１…加湿フィルタ、１２…水受け皿、１３…水タンク、１４…水ポンプ、１５…操作パネル、１６…上面風向板、１７…下面風向板、１８…中央風向板、１９…支点、２１…補助風向板、２２…第一アーム、２３…第二アーム、２４〜２７…支点、２８…小型モータ、２９…第一の連結軸、３０…第二の連結軸、３４…第一の補助スプリング、３５…第二の補助スプリング、３６…本体上面、５０…ばね支点、５１…瞬間中心。
【図１】
2010038392.tif 000003
【図２】
2010038392.tif 000004
【図３】
2010038392.tif 000005
【図４】
2010038392.tif 000006
【図５】
2010038392.tif 000007
【図６】
2010038392.tif 000008
【図７】
2010038392.tif 000009
【図８】
2010038392.tif 000010
【図９】
2010038392.tif 000011
【図１０】
2010038392.tif 000012